(57)【要約】【課題】タッチミスによる意図しない設定変更を抑制することができる入力装置を提供する。【解決手段】入力装置は、操作用画像１１１を表示可能な表示部１１０と、検知領域１４０が設けられるタッチパネル１２０と、検知領域１４０での検知状態に応じて設定を変更する制御部１３１と、を備える。検知領域１４０は、第１領域１４１と第２領域１４２と中間領域１４３とを含む。制御部１３１は、第１領域１４１及び第２領域１４２において接触位置が変化しない押し操作を検知した場合には設定の変更を行う一方、中間領域１４３において押し操作を検知した場合には設定の変更を行わない。また、制御部１３１は、検知領域１４０において接触位置が変化するスライド操作を検知した場合には、スライド操作を検知した位置が第１領域１４１、第２領域１４２及び中間領域１４３のいずれであっても、設定の変更を行う。【選択図】図２
2014206824.tif 000002
【特許請求の範囲】
【請求項１】
設定を変更するための入力を行うときに操作用画像を表示可能な表示部と、
該表示部に重ねて配置され、前記操作用画像と対応する位置にタッチ操作を検知可能な検知領域が設けられるタッチパネルと、
前記検知領域での検知状態に応じて設定を変更する制御部と、
を備え、
前記検知領域は、第１領域と、該第１領域と離間して配置される第２領域と、前記第１領域と前記第２領域との間に配置される中間領域と、を含み、
前記制御部は、
前記第１領域及び前記第２領域において接触位置が変化しない押し操作を検知した場合には設定の変更を行う一方、前記中間領域において前記押し操作を検知した場合には設定の変更を行わず、
前記検知領域において接触位置が変化するスライド操作を検知した場合には、前記スライド操作を検知した位置が前記第１領域、前記第２領域及び前記中間領域のいずれであっても、設定の変更を行うことを特徴とする入力装置。
【請求項２】
前記制御部は、前記第２領域側から前記第１領域側に向かう第１方向への前記スライド操作の検知に対しては設定値を大きくする変更を行う一方、前記第１領域側から前記第２領域側に向かう第２方向への前記スライド操作の検知に対しては設定値を小さくする変更を行うことを特徴とする請求項１に記載の入力装置。
【請求項３】
前記制御部は、前記検知領域に対する接触が開始されてから、予め規定された規定時間の間、前記第１領域または前記第２領域に対する前記押し操作を継続して検知した場合には、前記第１領域または前記第２領域に対する接触時間に応じて設定を変更することを特徴とする請求項１または請求項２に記載の入力装置。
【請求項４】
前記第１領域は当該第１領域と前記第２領域とを繋ぐ方向に長く延びる前記検知領域の長手方向における第１端側に配置される一方、前記第２領域は前記長手方向における第２端側に配置され、
前記中間領域は、前記第１領域及び前記第２領域の双方よりも前記長手方向における領域の長さが短いことを特徴とする請求項１〜請求項３のうちいずれか一項に記載の入力装置。
【請求項５】
車両に搭載される入力装置であって、
前記検知領域は前記表示部の水平方向における両端側に１つずつ配置され、２つの前記検知領域は、重力方向が長手方向となるように配置されることを特徴とする請求項１〜請求項４のうちいずれか一項に記載の入力装置。
【発明の詳細な説明】
【技術分野】
【０００１】
本発明は、タッチ操作で入力を行うことができる入力装置に関する。
【背景技術】
【０００２】
従来、携帯型情報端末装置などには、表示部にタッチパネルを重ねて配置した入力装置を備え、タッチパネルを短く押すタップ操作などのタッチ操作によって、各種の入力操作を行うものがある（例えば、特許文献１）。
【先行技術文献】
【特許文献】
【０００３】
【特許文献１】特開２００３−３３０６１３号公報
【発明の概要】
【発明が解決しようとする課題】
【０００４】
例えばオーディオ装置の音量など、設定値の変更をタップ操作によって行う場合には、互いに逆方向を示す２つのアイコンを表示部に表示して、それらアイコンがタップされる度に、設定値を等量ずつ変更することが考えられる。
【０００５】
このとき、逆方向を示す２つのアイコンは、並べて配置する方が直感的に操作を行うことができるために操作性がよい。しかし、２つのアイコンが並んでいると、接触位置がタッチしようとしたアイコンからずれ、別のアイコンに接触してしまう虞がある。特に、タッチ操作を指で行う場合には、意図した位置を正確にタッチすることが難しく、逆方向を示す別のアイコンに接触するタッチミスによって、意図しない設定変更が行われてしまうことがある。
【０００６】
なお、こうした課題は、携帯型情報端末装置に備えられた入力装置に限らず、出力装置に対して固定される入力装置や車両に搭載される入力装置など、設定を変更するための入力をタッチ操作で行う入力装置においては、概ね共通したものとなっている。
【０００７】
本発明の目的は、タッチミスによる意図しない設定変更を抑制することができる入力装置を提供することにある。
【課題を解決するための手段】
【０００８】
上記課題を解決するための入力装置は、設定を変更するための入力を行うときに操作用画像を表示可能な表示部と、該表示部に重ねて配置され、前記操作用画像と対応する位置にタッチ操作を検知可能な検知領域が設けられるタッチパネルと、前記検知領域での検知状態に応じて設定を変更する制御部と、を備え、前記検知領域は、第１領域と、該第１領域と離間して配置される第２領域と、前記第１領域と前記第２領域との間に配置される中間領域と、を含み、前記制御部は、前記第１領域及び前記第２領域において接触位置が変化しない押し操作を検知した場合には設定の変更を行う一方、前記中間領域において前記押し操作を検知した場合には設定の変更を行わず、前記検知領域において接触位置が変化するスライド操作を検知した場合には、前記スライド操作を検知した位置が前記第１領域、前記第２領域及び前記中間領域のいずれであっても、設定の変更を行う。
【０００９】
この構成によれば、１つの検知領域に第１領域と第２領域とが中間領域を挟んで並ぶように配置されるので、操作性がよい。そして、タッチパネルに対する押し操作では、接触位置が第１領域から第２領域側にずれていても、第１領域と第２領域との間には中間領域があるので、設定は変更されない。同様に、接触位置が第２領域から第１領域側にずれていても、第２領域と第１領域との間には中間領域があるので、設定は変更されない。すなわち、第１領域と第２領域との間に配置された中間領域は、押し操作された場合にも設定が変更されないので、タッチミスによる意図しない設定変更を抑制することができる。
【００１０】
なお、タッチ操作には、タッチパネルを短く押す（タップする）押し操作である短押し操作、タッチパネルを予め規定された規定時間を超えて押し続ける押し操作である長押し操作、前記規定時間内にタッチパネルに対する接触位置を移動させるスライド操作などを含む。また、スライド操作には、タッチと同時にその接触位置を素早く移動させるフリップ操作、表示部に表示されたアイコン等を引きずるように接触位置を移動させるドラッグ操作、表示部に表示されたアイコン等を動かすように接触位置を移動させるスクロール操作などを含む。そして、上記構成によれば、押し操作とスライド操作とを同じ検知領域で行うことができる。
【発明の効果】
【００１１】
本発明によれば、設定を変更するための入力をタッチ操作で行う入力装置において、タッチミスによる意図しない設定変更を抑制することができる。
【図面の簡単な説明】
【００１２】
【図１】一実施形態の入力装置の概略構成を示す正面図。
【図２】同実施形態の入力装置が備える制御装置の電気的構成を示すブロック図。
【図３】入力装置の制御装置が行うタッチ操作判定処理のフローチャート。
【図４】短押し操作時の設定変更処理のフローチャート。
【図５】長押し操作時の設定変更処理のフローチャート。
【図６】スライド操作時の設定変更処理のフローチャート。
【発明を実施するための形態】
【００１３】
以下、上記課題を解決する入力装置を、車両に搭載される空調装置の温度調節を行うために、同車両のセンタコンソールパネルに取り付けられた入力装置に具体化した一実施形態を図を参照して説明する。
【００１４】
図１に示すように、入力装置１００は、表示部１１０と、表示部１１０に重ねて配置されるタッチパネル１２０と、制御装置１３０とを備えている。制御装置１３０は、出力装置である空調装置２００のコントローラ２１０と電気的に接続されている。
【００１５】
空調装置２００は、運転席側（例えば、図１における右側）に向けて送風するための送風部２２０と、助手席側（例えば、図１における左側）に向けて送風するための送風部２３０と、を備えている。
【００１６】
送風部２２０，２３０から送り出される風の温度は、コントローラ２１０を介して、入力装置１００を用いた入力操作によって変更される。なお、送風部２２０，２３０はセンタコンソールパネルに限らず、例えばドア側など、任意の位置に配置することができる。
【００１７】
入力装置１００が車両に搭載された場合に、表示部１１０は水平方向Ｈが長手方向になる。表示部１１０は、例えば液晶ディスプレイ、有機ＥＬディスプレイ、あるいは多数の発光ダイオードからなり、その表示画面に各種の設定操作を行うための画像や数値等の表示が可能である。
【００１８】
表示部１１０には、空調装置２００が制御する室内空間温度の設定値を変更するときに、入力操作の位置を案内するための操作用画像１１１が表示される。また、表示部１１０において操作用画像１１１の近く（例えば上側）には、室内空間温度の設定値を表示するための表示ウインドウ１１２が表示される。
【００１９】
入力装置１００には、送風部２２０，２３０からの送風温度を変更するための操作部１５０が、それぞれ運転席側と助手席側とに配置される。操作部１５０は、操作用画像１１１と、その操作用画像１１１に重ねて配置されるタッチ操作を検知可能な検知領域１４０とを含む。すなわち、検知領域１４０は、水平方向Ｈにおける両端側に１つずつ配置される。また、２つの検知領域１４０は、いずれも重力方向Ｇが長手方向となるように配置される。
【００２０】
設定値を変更するための入力装置１００への入力操作は、タッチパネル１２０に設定される検知領域１４０に対するタッチ操作によって行われる。なお、車両に搭載された入力装置１００に対するタッチ操作は指で行うのが一般的であるが、スタイラスペンなどのツールを用いてタッチ操作を行うことも可能である。
【００２１】
本実施形態において、タッチ操作には、検知領域１４０に対する接触を予め規定された規定時間Ｔ１内に終えるように短く押す短押し操作と、規定時間Ｔ１を超えて検知領域１４０を押し続ける長押し操作と、接触位置を移動させつつ検知領域１４０に接触するスライド操作とを含む。また、接触位置を移動させないタッチ操作のことを、短押し操作と長押し操作とを含めて、押し操作ということがある。
【００２２】
制御装置１３０は、入力操作によって変更された設定値を表示ウインドウ１１２に表示し、さらに、変更後の設定値に応じた信号をコントローラ２１０に出力する。コントローラ２１０は、制御装置１３０が出力した信号に基づいて、室内温度が表示ウインドウ１１２に表示される設定値になるように、送風部２２０，２３０から送られる風の温度を制御する。
【００２３】
操作用画像１１１の長手方向における一端側（例えば上側）には、設定値を上げるための操作を案内する第１ガイドマーク１１３が表示される。一方、操作用画像１１１の長手方向における他端側（例えば下側）には、設定値を下げるための操作を案内する第２ガイドマーク１１４が表示される。第１ガイドマーク１１３は例えば上向きの矢印であり、第２ガイドマーク１１４は例えば第１ガイドマーク１１３と逆方向を示す下向きの矢印である。
【００２４】
図２に示すように、制御装置１３０は、各種制御を行う制御部１３１と、制御部１３１と接続されたカウンタ１３２及び記憶部１３３とを備える。制御装置１３０は、例えばＣＰＵからなる。カウンタ１３２は、タッチ操作における検知領域１４０に対する接触時間Ｔを計時する。
【００２５】
記憶部１３３は、接触時間Ｔに関する閾値である規定時間Ｔ１などを記憶する。規定時間Ｔ１は、タッチ操作の種類が短押し操作であるか長押し操作であるかを判定するときに用いられる。規定時間Ｔ１は、例えば０．５秒など、任意の長さの時間に設定することが可能である。
【００２６】
制御部１３１は、タッチ操作の種類に関する判定等を行う判定部１３４と、タッチ操作の位置を検出する位置検出部１３５と、検知領域１４０の設定を行う領域設定部１３６と、検知領域１４０へのタッチ操作に応じて設定値を変更する設定変更部１３７とを有している。
【００２７】
例えば、判定部１３４は、検知領域１４０に対する接触が開始されてから、予め規定された規定時間Ｔ１の間、検知領域１４０における接触位置が変化しない場合には、タッチ操作が長押し操作であると判定する。また、判定部１３４は、規定時間Ｔ１経過前に検知領域１４０に対する接触位置が変化することなく、その接触が終了した場合には、タッチ操作が短押し操作であると判定する。あるいは、判定部１３４は、規定時間Ｔ１経過前に検知領域１４０に対する接触位置が移動した場合には、タッチ操作がスライド操作であると判定する。
【００２８】
位置検出部１３５は、例えば指が触れたときの静電容量の変化に基づいてタッチ操作を検出する静電容量式のタッチパネル１２０の場合には、静電容量のピーク値が検出された位置を、そのタッチ操作における接触位置として検出する。また、位置検出部１３５が所定の単位期間毎に接触位置を検出することで、接触位置の移動の有無及び接触位置が移動した場合の移動方向を検知することが可能になる。
【００２９】
なお、接触位置の移動方向は、第２領域１４２側から第１領域１４１側に向かう方向（図１では上方向）を第１方向、第１領域１４１側から第２領域１４２側に向かう方向（図１では下方向）を第２方向とする。
【００３０】
領域設定部１３６は、タッチパネル１２０の操作用画像１１１と対応する位置にタッチ操作を検知可能な検知領域１４０を設定する。例えば、領域設定部１３６は、検知領域１４０が押し操作された場合に、検知領域１４０に第１領域１４１と、第１領域１４１と離間して配置される第２領域１４２と、第１領域１４１と第２領域１４２との間に配置される中間領域１４３と、を設定する。
【００３１】
第１領域１４１は操作用画像１１１の第１ガイドマーク１１３と重なる位置に設定される一方、第２領域１４２は第２ガイドマーク１１４と重なる位置に設定されるのが好ましい。また、第１領域１４１は、第１領域１４１と第２領域１４２とを繋ぐ方向に長く延びる検知領域１４０の長手方向における第１端側（例えば上側）に配置される一方、第２領域１４２は長手方向における第２端側（例えば下側）に配置されるのが好ましい。
【００３２】
さらに、第１領域１４１と第２領域１４２とは長手方向における領域の長さが等しく、中間領域１４３は第１領域１４１及び第２領域１４２の双方よりも長手方向における領域の長さが短いのが好ましい。
【００３３】
設定変更部１３７は、第１領域１４１が短押し操作された場合には設定値を等量ずつ（例えば０．５℃ずつ）大きくする一方、第２領域１４２が短押し操作された場合には設定値を等量ずつ（例えば０．５℃ずつ）小さくする。また、設定変更部１３７は、長押し操作に伴う接触位置が第１領域１４１であった場合には第１領域１４１に対する接触時間に応じて設定値を大きくする変更を行う一方、接触位置が第２領域１４２であった場合には第２領域１４２に対する接触時間に応じて設定値を小さくする変更を行う。
【００３４】
すなわち、設定変更部１３７は、第１領域１４１及び第２領域１４２が押し操作された場合には設定値を変更する。ただし、設定変更部１３７は、中間領域１４３が押し操作された場合には、設定値を変更しない。
【００３５】
また、領域設定部１３６は、検知領域１４０がスライド操作された場合に、検知領域１４０において第１領域１４１、第２領域１４２及び中間領域１４３を含む連続した領域にスライド領域１４４を設定する。
【００３６】
そして、設定変更部１３７は、スライド操作が第２領域１４２側から第１領域１４１側に向かう第１方向に行われた場合には設定値を大きくする変更を行う。一方、スライド操作が第１領域１４１側から第２領域１４２側に向かう第２方向に行われた場合には、設定変更部１３７が設定値を小さくする変更を行う。すなわち、設定変更部１３７は、タッチ操作がスライド操作であった場合には、第１領域１４１及び第２領域１４２に加えて、中間領域１４３に対するタッチ操作の結果も設定値の変更に反映させる。
【００３７】
ちなみに、中間領域１４３は、その範囲を明示するために図２において網掛けを施しているが、第１領域１４１、第２領域１４２及び中間領域１４３の境界は目視にて判別できなくてもよい。すなわち、領域設定部１３６が検知領域１４０に第１領域１４１、第２領域１４２及び中間領域１４３を設定したか、スライド領域１４４を設定したかを、目視にて判別することができなくてもよい。
【００３８】
次に、制御装置１３０によって実行されるタッチ操作の判定処理及びタッチ操作に伴う設定変更処理について説明する。
図３に示すタッチ操作の判定処理では、まずステップＳ１１において、制御部１３１が検知領域１４０に対するタッチ操作が行われたか否かを判断して、タッチ操作が行われた場合（ステップＳ１１：「ＹＥＳ」）にはステップＳ１２に進む。なお、タッチ操作が行われなかった場合（ステップＳ１１：「ＮＯ」）には、制御部１３１がステップＳ１１の判断を所定期間（例えば数ミリ秒）毎に繰り返し実行する。
【００３９】
ステップＳ１２では、カウンタ１３２が接触時間Ｔの計時を開始して、ステップＳ１３に進む。続くステップＳ１３では、位置検出部１３５が検知領域１４０における接触位置の検出を開始して、ステップＳ１４に進む。
【００４０】
そして、ステップＳ１４では、単位期間内に接触位置が移動したか否かを判定部１３４が判定し、接触位置が移動した場合（ステップＳ１４：「ＹＥＳ」）にはステップＳ１５に進み、判定部１３４がタッチ操作はスライド操作であると判定して、処理を一旦終了する。一方、ステップＳ１４において接触位置が移動していない場合（ステップＳ１４：「ＮＯ」）にはステップＳ１６に進む。
【００４１】
ステップＳ１６において、判定部１３４は検知領域１４０に対する接触が終了したか否かを判定し、接触が終了した場合（ステップＳ１６：「ＹＥＳ」）にはステップＳ１７に進み、タッチ操作は短押し操作であると判定して、処理を一旦終了する。一方、ステップＳ１６において接触が終了せずに継続している場合（ステップＳ１６：「ＮＯ」）にはステップＳ１８に進む。
【００４２】
ステップＳ１８では、接触時間Ｔが規定時間Ｔ１を超えたか否かを判定部１３４が判定する。そして、接触時間Ｔが規定時間Ｔ１を超えた場合（ステップＳ１８：「ＹＥＳ」）にはステップＳ１９に進み、判定部１３４がタッチ操作は長押し操作であると判定して、処理を一旦終了する。
【００４３】
一方、ステップＳ１８において接触時間Ｔが規定時間Ｔ１を超えていない場合（ステップＳ１８：「ＮＯ」）には、ステップＳ１４に戻って、次の単位期間内に接触位置が移動したか否かを判定部１３４が判定する。そして、上述したステップＳ１４〜Ｓ１９を繰り返して、判定部１３４がタッチ操作の種類を判定すると、図３に示すタッチ操作の判定処理が終了する。
【００４４】
制御装置１３０はタッチ操作の判定処理に続いて、判定されたタッチ操作の種類に応じて設定値の変更処理を行う。
次に、タッチ操作が短押し操作であると判定された場合の設定変更処理について説明する。
【００４５】
図４に示すように、まずステップＳ２１において、領域設定部１３６が検知領域１４０に第１領域１４１、第２領域１４２及び中間領域１４３を設定して、ステップＳ２２に進む。
【００４６】
ステップＳ２２では、接触位置は中間領域１４３か否かを制御部１３１が判断して、接触位置が中間領域１４３である場合（ステップＳ２２：「ＹＥＳ」）にはステップＳ２３に進む。そして、ステップＳ２３においてカウンタ１３２をリセットして、処理を終了する。すなわち、接触位置が中間領域１４３であった場合には、室内温度の設定値は変更されない。
【００４７】
一方、ステップＳ２２で接触位置が中間領域１４３でない場合（ステップＳ２２：「ＮＯ」）にはステップＳ２４に進み、接触位置が第１領域１４１か否かを制御部１３１が判断する。そして、接触位置が第１領域１４１である場合（ステップＳ２４：「ＹＥＳ」）にはステップＳ２５に進み、設定変更部１３７が設定値Ｎに所定の値Ｎ１（例えば、Ｎ１＝０．５）を加算した後、ステップＳ２３に進む。そして、ステップＳ２３においてカウンタ１３２をリセットして、処理を終了する。これにより、室内温度の設定値は１段階（例えば０．５℃）大きくなる。
【００４８】
一方、ステップＳ２４で接触位置が第１領域１４１でない場合（ステップＳ２４：「ＮＯ」）、すなわち接触位置が第２領域１４２である場合にはステップＳ２６に進み、設定変更部１３７が設定値Ｎに所定の値Ｎ１を減算した後、ステップＳ２３に進む。そして、ステップＳ２３においてカウンタ１３２をリセットして、処理を終了する。これにより、室内温度の設定値は１段階（例えば０．５℃）小さくなる。
【００４９】
次に、タッチ操作が長押し操作であると判定された場合の設定変更処理について説明する。
図５に示すように、まずステップＳ３１において、領域設定部１３６が検知領域１４０に第１領域１４１、第２領域１４２及び中間領域１４３を設定して、ステップＳ３２に進む。
【００５０】
ステップＳ３２では、接触位置は中間領域１４３か否かを制御部１３１が判断して、接触位置が中間領域１４３である場合（ステップＳ３２：「ＹＥＳ」）にはステップＳ３３に進む。
【００５１】
ステップＳ３３では、中間領域１４３に対する接触が終了したか否かを制御部１３１が判断して、接触が終了した場合（ステップＳ３３：「ＹＥＳ」）にはステップＳ３４に進む。一方、接触が終了していない場合（ステップＳ３３：「ＮＯ」）にはステップＳ３３の判断を繰り返して、接触が終了すると、ステップＳ３４に進む。
【００５２】
そして、ステップＳ３４ではカウンタ１３２をリセットして、処理を終了する。すなわち、長押し操作における接触位置が中間領域１４３であった場合には、室内温度の設定値は変更されない。
【００５３】
一方、ステップＳ３２で接触位置が中間領域１４３でない場合（ステップＳ３２：「ＮＯ」）にはステップＳ３５に進み、接触位置は第１領域１４１か否かを制御部１３１が判断する。そして、接触位置が第１領域１４１である場合（ステップＳ３５：「ＹＥＳ」）にはステップＳ３６に進み、設定変更部１３７が設定値Ｎに所定の値Ｎ２を加算した後、ステップＳ３７に進む。
【００５４】
ステップＳ３７では、第１領域１４１に対する接触が終了したか否かを制御部１３１が判断して、接触が終了した場合（ステップＳ３７：「ＹＥＳ」）にはステップＳ３４に進む。一方、接触が終了していない場合（ステップＳ３７：「ＮＯ」）にはステップＳ３６に戻り、さらに設定変更部１３７が設定値Ｎに所定の値Ｎ２を加算した後、ステップＳ３７の判断を繰り返す。
【００５５】
すなわち、第１領域１４１に対する長押し操作時には、接触が終了するまで、すなわち押し操作が継続して検知された接触時間に応じて設定値が大きくなるように、設定が変更される。そして、接触が終了してステップＳ３４に進むと、カウンタ１３２をリセットして、処理を終了する。
【００５６】
一方、ステップＳ３５で接触位置が第１領域１４１でない場合（ステップＳ３５：「ＮＯ」）、すなわち接触位置が第２領域１４２である場合にはステップＳ３８に進み、設定変更部１３７が設定値Ｎに所定の値Ｎ２を減算した後、ステップＳ３９に進む。
【００５７】
ステップＳ３９では、第２領域１４２に対する接触が終了したか否かを制御部１３１が判断して、接触が終了した場合（ステップＳ３９：「ＹＥＳ」）にはステップＳ３４に進む。一方、接触が終了していない場合（ステップＳ３９：「ＮＯ」）にはステップＳ３８に戻り、さらに設定変更部１３７が設定値Ｎに所定の値Ｎ２を減算した後、ステップＳ３９の判断を繰り返す。
【００５８】
すなわち、第２領域１４２に対する長押し操作時には、接触が終了するまで、すなわち押し操作が継続して検知された接触時間に応じて設定値が小さくなるように、設定が変更される。そして、接触が終了してステップＳ３４に進むと、カウンタ１３２をリセットして、処理を終了する。
【００５９】
次に、タッチ操作がスライド操作であると判定された場合の設定変更処理について説明する。
図６に示すように、まずステップＳ４１において、領域設定部１３６が検知領域１４０の全域にスライド領域１４４を設定して、ステップＳ４２に進む。
【００６０】
ステップＳ４２では、単位期間内における接触位置の移動距離Ｌを制御部１３１が算出して、ステップＳ４３に進む。ステップＳ４３では、単位期間内におけるスライド操作の移動方向は第１方向か否かを制御部１３１が判断する。そして、移動方向が第１方向である場合（ステップＳ４３：「ＹＥＳ」）にはステップＳ４４に進む。
【００６１】
ステップＳ４４では、設定変更部１３７が設定値Ｎに移動距離Ｌに応じた値（Ｎ３＊Ｌ）を加算した後、ステップＳ４５に進む。続くステップＳ４５では、検知領域１４０に対する接触が終了したか否かを制御部１３１が判断して、接触が終了した場合（ステップＳ４５：「ＹＥＳ」）にはステップＳ４６に進む。そして、ステップＳ４６ではカウンタ１３２をリセットして、処理を終了する。
【００６２】
一方、ステップＳ４３で移動方向が第１方向でない場合（ステップＳ４３：「ＮＯ」）、すなわち移動方向が第２方向である場合にはステップＳ４７に進み、設定変更部１３７が設定値Ｎに移動距離Ｌに応じた値（Ｎ３＊Ｌ）を減算した後、ステップＳ４５に進む。
【００６３】
ステップＳ４４またはステップＳ４７から続くステップＳ４５において、接触が終了していない場合（ステップＳ４５：「ＮＯ」）にはステップＳ４２に戻り、次の単位期間内における接触位置の移動距離Ｌを制御部１３１が算出する。また、続くステップＳ４３において移動方向が判断され、さらにステップＳ４４，Ｓ４７において、その移動方向及び移動距離Ｌに応じて設定値Ｎが増減される。そして、スライド領域１４４に対する接触が終了するとステップＳ４６に進み、カウンタ１３２をリセットして、処理を終了する。
【００６４】
すなわち、スライド領域１４４に対する第１方向へのスライド操作時には、その移動距離に応じて設定値が大きくなるように設定が変更される。また、スライド領域１４４に対する第２方向へのスライド操作時には、その移動距離に応じて設定値が小さくなるように設定が変更される。
【００６５】
次に、本実施形態にかかる入力装置１００の作用について説明する。
例えば、室内温度の設定値を上げたい場合には、操作用画像１１１の第１ガイドマーク１１３付近をタッチ操作する。このとき、短押し操作すれば小さな刻みで（例えば０．５℃ずつ）設定温度が上がる。また、長押し操作すれば、その接触時間に応じて設定温度が上がる。
【００６６】
ここで、例えば運転席側から操作部１５０に対する入力操作を行う場合には、操作部１５０の側方に向けて手を伸ばして操作を行うことになるので、タッチ操作の位置が目的の第１ガイドマーク１１３からずれてしまうことがある。
【００６７】
このとき、第１領域１４１と第２領域１４２とが隣り合っていると、タッチ操作の位置が第１領域１４１から第２領域１４２側にずれて、設定温度を意図せずに下げてしまう虞がある。なお、側方にある操作部１５０を指でタッチ操作する場合などには、特にこのようなタッチミスが生じやすい。
【００６８】
その点、第１領域１４１と第２領域１４２との間には、押し操作によって設定値が変更されない中間領域１４３が配置されているので、タッチ操作の位置がずれても、意図しない設定値の変更が抑制される。
【００６９】
なお、中間領域１４３がタッチ操作を検知しない領域である場合には、第１領域１４１と第２領域１４２との間でスライド操作を検知することができなくなる。そのため、押し操作に加えてスライト操作によって設定値を変更させる場合には、例えば第１領域１４１と第２領域１４２との間に別途スライド領域１４４を配置するなど、検知領域１４０を複数設ける必要がある。これに対して、上記実施形態では、中間領域１４３においてタッチ操作を検知することができるので、１つの検知領域１４０で押し操作とスライド操作の両方を行うことが可能である。
【００７０】
また、第１領域１４１、第２領域１４２及び中間領域１４３に対する接触が開始されてから規定時間が経過すると、その後に接触位置が他の領域に移動してもスライド操作とは判定されない。そのため、例えば第１領域１４１における長押し操作中に接触位置が下側にずれてしまった場合にも、第２方向への移動に基づく設定値の減算は行われない。すなわち、長押し操作の途中で接触位置が第１領域１４１から中間領域１４３にずれると設定値の変更が終了するので、大きくしようとした設定値が小さくなるといった意図しない設定変更が抑制される。
【００７１】
以上説明した実施形態によれば、以下の効果が得られる。
（１）１つの検知領域１４０に第１領域１４１と第２領域１４２とが中間領域１４３を挟んで並ぶように配置されるので、操作性がよい。そして、タッチパネル１２０に対する押し操作では、接触位置が第１領域１４１から第２領域１４２側にずれていても、第１領域１４１と第２領域１４２との間には中間領域１４３があるので、設定は変更されない。同様に、接触位置が第２領域１４２から第１領域１４１側にずれていても、第２領域１４２と第１領域１４１との間には中間領域１４３があるので、設定は変更されない。すなわち、第１領域１４１と第２領域１４２との間に配置された中間領域１４３は、押し操作された場合にも設定が変更されないので、タッチミスによる意図しない設定変更を抑制することができる。
【００７２】
（２）スライド領域１４４がスライド操作された場合には、その操作方向に応じて設定値が変更されるので、１回のタッチ操作で設定値を任意の大きさに変更することができる。また、こうしたスライド操作を行うためのスライド領域１４４は、第１領域１４１、第２領域１４２及び中間領域１４３を含む連続した領域に設定されるので、押し操作とスライド操作とを同じ検知領域１４０で行うことができる。すなわち、中間領域１４３はタッチ操作を検知可能な検知領域１４０であるので、中間領域１４３に対するタッチ操作の種類に応じて、その入力を設定変更に反映するか否かを決定することができる。
【００７３】
（３）第１領域１４１及び第２領域１４２を検知領域１４０の長手方向の両端側に配置して、それら領域を広くすることにより、押し操作が容易になる。一方、第１領域１４１及び第２領域１４２が広くなると、ねらいがあまくなってタッチミスが生じやすくなる虞があるが、第１領域１４１と第２領域１４２との間に配置された中間領域１４３により、こうした虞が低減される。すなわち、長手方向において第１領域１４１及び第２領域１４２の双方を長くする一方、それら領域１４１，１４２よりも中間領域１４３を短くすることによって、タッチミスを抑制しつつ、領域１４１，１４２に対する操作性をよくすることができる。
【００７４】
（４）第１領域１４１及び第２領域１４２が長押し操作された場合には、その接触時間に応じて設定値が変更されるので、１回のタッチ操作で設定値を任意の大きさに変更することができる。
【００７５】
（５）検知領域１４０は表示部１１０の水平方向Ｈにおける両端側に１つずつ配置されるので、車両の運転席側と助手席側の両方からそれぞれ操作を行うことができる。また、２つの検知領域１４０は重力方向Ｇが長手方向となるように配置されるので、側方からであってもスライド操作がしやすい。そして、このように操作性が向上することで、入力操作のための視線移動時間を短くすることができる。
【００７６】
（６）第１領域１４１、中間領域１４３及び第２領域１４２は検知領域１４０の長手方向に沿って並ぶように配置されるので、これらの領域１４１，１４２，１４３を含むようにスライド領域１４４を設定することによって、スライド操作を行う場合の操作性がよくなる。
【００７７】
なお、上記実施形態は、これを適宜変更した以下の形態にて実施することもできる。
・制御装置１３０がカウンタ１３２を備えない構成としてもよい。この場合にも、短押しと長押しとを区別することなく、第１領域１４１または第２領域１４２に対する押し操作の度に、設定値を所定量ずつ増減させることで、設定変更を行うことができる。
【００７８】
・制御部１３１は、例えば不揮発性メモリに記憶されたプログラムを実行するＣＰＵにより構成されるソフトウェアとすることができる。そして、制御部１３１が有する判定部１３４、位置検出部１３５、領域設定部１３６及び設定変更部１３７は、制御部１３１が行う処理を機能別に表現したものであるので、物理的に異なる部材として各部１３４〜１３７を備えなくてもよい。
【００７９】
例えば、制御部１３１が領域設定部１３６を備えず、検知領域１４０にスライド領域１４４等を設定する処理（図４に示すステップＳ２１、図５に示すステップＳ３１及び図６に示すステップＳ４１）を省略することもできる。このように領域を設定する処理を省略した場合にも、制御部１３１は、図３に示すタッチ操作の判定処理と、タッチ操作が検知された位置とに基づいて、設定値の変更等を行うことができる。
【００８０】
なお、スライド領域１４４とは、第１領域１４１、第２領域１４２及び中間領域１４３を含む連続した領域に仮想的に設定される領域であるので、制御部１３１はスライド領域１４４を設定することなく、タッチ操作の種類や検知領域１４０における接触位置に応じて設定値の変更等を行うことができる。
【００８１】
・検知領域１４０は、操作用画像１１１と完全に一致する必要はない。例えば、検知領域１４０を操作用画像１１１よりも一回り大きくすることで、接触位置が検知領域１４０から外れて入力が行われないというタッチミスの発生を抑制することができる。また、検知領域１４０を操作用画像１１１よりも操作を行う側（運転席側または助手席側）にずらして配置することで、側方からの操作性を向上することができる。
【００８２】
・スライド領域１４４が領域１４１，１４２，１４３を合わせた領域と完全に一致しなくてもよいし、スライド領域１４４が検知領域１４０と完全に一致しなくてもよい。
・所定の値Ｎ１，Ｎ２，Ｎ３は任意に設定することができる。例えば、値Ｎ１，Ｎ２，Ｎ３が同じ値でもよいし、互いに異なってもよい。
【００８３】
・第１ガイドマーク１１３及び第２ガイドマーク１１４は矢印に限らず、例えば、プラスとマイナスの文字など、任意の形状に変更することができる。あるいは、操作用画像１１１が第１ガイドマーク１１３及び第２ガイドマーク１１４を備えず、第２端側から第１端側に向けて幅や濃淡、色などが変化するグラデーションを表示するなどして、設定値の増減方向を示すこともできる。
【００８４】
・検知領域１４０において第１領域１４１、第２領域１４２及び中間領域１４３が占める割合は、長手方向における長さを含めて、任意に変更することができる。例えば、タッチミスが生じやすい場合などには、中間領域１４３を大きくすることによって、意図しない設定値の変更をより抑制することができる。
【００８５】
・タッチパネル１２０は、静電容量式、抵抗膜式、表面弾性波式、電磁誘導式、マトリックススイッチ式等、任意の方式を採用することができる。
・入力装置１００への入力操作によって設定値が変更される出力装置は空調装置２００に限らない。例えば入力装置１００を出力装置としてのオーディオ装置に接続して、設定値としての音量を入力装置１００への入力操作によって変更するようにしてもよい。あるいは、入力装置１００を出力装置としてのラジオに接続して、設定値としての周波数を入力装置１００への入力操作によって変更するようにしてもよい。
【００８６】
・入力装置１００が複数の出力装置に接続されて、その操作対象となる出力装置が任意に切り替え可能な構成とすることもできる。また、操作部１５０は設定値を増減させるための入力操作に限らず、例えば複数のモードの中から特定のモードを選択する選択操作や、複数の出力装置の切り替え操作に使用してもよい。この構成によれば、例えば第１領域１４１または第２領域１４２に対する押し操作によって入力装置１００によって操作される出力装置を切り替えたり、接触位置を移動させるスクロール操作によって操作される出力装置を切り替えたりすることができる。
【００８７】
この場合には、例えば空調装置、オーディオ装置及びカーナビゲーション装置など、異なる３つ以上の出力装置にそれぞれ対応する第１領域、第２領域及び第３領域を設けてもよい。また、タッチ操作によって設定変更が行われる第１領域、第２領域及び第３領域のうち、隣に並ぶ２つの領域の間に、タッチ操作によって設定変更が行われない中間領域をそれぞれ配置してもよい。
【００８８】
さらに、タッチ操作によって設定変更が行われる領域（変更領域）が重力方向Ｇに加えて水平方向Ｈにも複数並ぶように３つ以上配置される場合には、重力方向Ｇ及び水平方向Ｈに隣り合う２つの変更領域の間に、それぞれ中間領域を配置してもよい。すなわち、中間領域１４３は、タッチ操作によって設定変更が行われる変更領域に対応して、その数や配置を任意に変更することができる。
【００８９】
・入力装置１００において、表示部１１０、操作用画像１１１及び表示ウインドウ１１２などの配置、形状及び数は任意に変更することができる。
・入力装置１００は車両に搭載するものに限らず、例えば家屋などの固定物に取り付けたり、入力装置１００と出力装置が一体化された携帯型端末装置に搭載したりすることもできる。
【符号の説明】
【００９０】
１００…入力装置、１１０…表示部、１１１…操作用画像、１２０…タッチパネル、１３１…制御部、１４０…検知領域、１４１…第１領域、１４２…第２領域、１４３…中間領域。
【図１】
2014206824.tif 000003
【図２】
2014206824.tif 000004
【図３】
2014206824.tif 000005
【図４】
2014206824.tif 000006
【図５】
2014206824.tif 000007
【図６】
2014206824.tif 000008